(57)【要約】      （修正有）【課題】太鼓の音色を出すことができ、安価かつ軽量であり、更に収納性に優れた打楽器及び打楽器セットを提供する。【解決手段】打楽器１０は、木製の側板７０で筒状に形成された側面部８０と側面部８０の上端に木製の天板２０を接合して形成された鼓面部２１とを備え、側面部７０は、胴部３０と、胴部３０を支持する脚部４０とからなり、側面部７０の下方には、放音用の開口部５０が形成されている。打楽器１０の側板７０の内面を凹設し、薄肉形成された副鼓面部を備えることができる。打楽器セットは、大きさの異なる打楽器を大きさの順に、打楽器の内部に順次収納可能とした複数個の打楽器からなる。【選択図】図１
0003143654.tif 000002
【実用新案登録請求の範囲】
【請求項１】
木製の側板で筒状に形成された側面部と、
上記側面部の上端に木製の天板を接合して形成された鼓面部と、を備え、
上記側面部は、胴部と、該胴部を支持する脚部と、からなり、
上記側面部の下方には、放音用の開口部が形成されていることを特徴とする打楽器。
【請求項２】
上記側板の内面を凹設し、薄肉形成された副鼓面部を備える請求項１に記載の打楽器。
【請求項３】
上記側面部は、複数枚の木製の側板を接合して形成したものである請求項１又は２に記載の打楽器。
【請求項４】
上記天板は、シナ材又はブナ材の合板である請求項１乃至３のうちのいずれか１項に記載の打楽器。
【請求項５】
上記天板は、２プライの合板であり、該合板を形成する上下の２枚の単板の間に、更に布を挟着したものである請求項１乃至４に記載の打楽器。
【請求項６】
上記側面部は４枚の側板を接合して形成された四角筒状である請求項１乃至５のうちのいずれか１項に記載の打楽器。
【請求項７】
上記４枚の側板のうちの対向する２枚の側板の内面を凹設し、薄肉形成された副鼓面部を備える請求項６に記載の打楽器。
【請求項８】
上記側板はパイン材である請求項１乃至７のうちのいずれか１項に記載の打楽器。
【請求項９】
４枚のパイン材の側板を接合して形成された四角筒状の側面部と、
上記側面部の上端にシナ材の合板からなる天板を接合して形成された鼓面部と、
上記４枚のパイン材の側板のうちの対向する２枚の側板の内面を凹設し、薄肉形成された副鼓面部と、を備え、
上記側面部は、胴部と、該胴部を支持する脚部と、からなり、該側面部の下方には、放音用の開口部が形成されていることを特徴とする打楽器。
【請求項１０】
請求項１乃至９に記載の打楽器であって、大きさの異なる複数個の打楽器を、大きさの順に、打楽器の内部に順次収納可能とした該複数個の打楽器からなる打楽器セット。
【考案の詳細な説明】
【技術分野】
【０００１】
本考案は、打楽器及び打楽器セットに関する。更に詳しくは、本考案は、太鼓の音色を出すことができ、安価かつ軽量であり、更に収納性に優れた打楽器及び打楽器セットに関する。
【背景技術】
【０００２】
太鼓は、祭りや儀式などで演奏されることが多く、生活と深く関わっている。太鼓の鼓面をバチで打ち鳴らして奏でる勇壮な音色は、心を高揚させる効果も大きい。また、喜怒哀楽を表現する道具としても好適であることから、音楽療法にも用いられている。
近年、太鼓は、打楽器の中でもリズム感を養成するのに優れた楽器として、学校における音楽教育の中にも盛んに取り入れられている。
ここで、和太鼓を製作するには、硬質の木を樽型にくりぬき、太鼓の胴部を作り、次いで、胴部の両端に、牛又は馬の皮を接合して乾燥させる。
【０００３】
しかし、和太鼓の樽型の胴は、欅などの一本の木の内部をくり抜いて製作するため、太鼓の製作は、高価なものとなり、合奏用に多数用意するには予算的に難しい面がある。
この問題を解決するために、円周上に配置した板の連結により構成した和太鼓が提案されている（例えば、特許文献１参照。）
【０００４】
【特許文献１】特開平２０００−１８１４４５号公報
【考案の開示】
【考案が解決しようとする課題】
【０００５】
しかし、特許文献１に記載の太鼓であっても、重く、持ち運びに不便で、収納場所の確保が困難であるという問題がある。
【０００６】
本考案は、上記の従来の問題を解決するものであり、太鼓の音色を出すことができ、安価かつ軽量であり、更に収納性に優れた打楽器及び打楽器セットを提供することを目的とする。
【課題を解決するための手段】
【０００７】
本考案は以下のとおりである。
１．木製の側板で筒状に形成された側面部と、
上記側面部の上端に木製の天板を接合して形成された鼓面部と、を備え、
上記側面部は、胴部と、該胴部を支持する脚部と、からなり、
上記側面部の下方には、放音用の開口部が形成されていることを特徴とする打楽器。
２．上記側板の内面を凹設し、薄肉形成された副鼓面部を備える１．に記載の打楽器。
３．上記側面部は、複数枚の木製の側板を接合して形成したものである１．又は２．に記載の打楽器。
４．上記天板は、シナ材又はブナ材の合板である１．乃至３．のうちのいずれか１項に記載の打楽器。
５．上記天板は、２プライの合板であり、該合板を形成する上下の２枚の単板の間に、更に布を挟着したものである１．乃至４．に記載の打楽器。
６．上記側面部は４枚の側板を接合して形成された四角筒状である１．乃至５．のうちのいずれか１項に記載の打楽器。
７．上記４枚の側板のうちの対向する２枚の側板の内面を凹設し、薄肉形成された副鼓面部を備える６．に記載の打楽器。
８．上記側板はパイン材である１．乃至７．のうちのいずれか１項に記載の打楽器。
９．４枚のパイン材の側板を接合して形成された四角筒状の側面部と、
上記側面部の上端にシナ材の合板からなる天板を接合して形成された鼓面部と、
上記４枚の側板のうちの対向する２枚の側板の内面を凹設し、薄肉形成された副鼓面部と、を備え、
上記側面部は、胴部と、該胴部を支持する脚部と、からなり、上記側面部の下方には、放音用の開口部が形成されていることを特徴とする打楽器。
１０．１．乃至９．に記載の打楽器であって、大きさの異なる複数個の打楽器を、大きさの順に、打楽器の内部に順次収納可能とした該複数個の打楽器からなる打楽器セット。
【考案の効果】
【０００８】
本考案の打楽器によれば、木製の側板で筒状に形成された側面部と、その上端に木製の天板を接合して形成された鼓面部と、を備え、側面部の下方には、放音用の開口部が形成されているため、太鼓の音色を出すことができ、安価かつ軽量であり、更に収納性に優れている。
側板の内面を凹設し、薄肉形成された副鼓面部を備えていれば、鼓面部とは異なった音色を奏でることができる。
側面部は、複数枚の木製の側板を接合して形成したものであれば、三角筒状、四角筒状等の多角筒状の製作が容易である。
【０００９】
天板は、シナ材又はブナ材の合板であれば、バチで叩くと皮製の鼓面と同様の音色を得ることができる。
天板は、２プライの合板であり、合板を形成する上下の２枚の単板の間に、更に布を挟着したものであれば、更に強度に優れると共に、打音の響きをよくすることができる。
側面部が４枚の側板を接合して形成された四角筒状であれば、製作し易く、収納もし易い。
上記４枚の側板のうちの対向する２枚の側板の内面を凹設し、中央部の厚さを側板の周辺部の厚さより薄くした側板からなる副鼓面部を備えていれば、副鼓面部をバチで叩きやすくすることができる。
上記側板がパイン材であれば、硬い材質であるため、打音を響かせることができる。また、安価な材料であるという利点がある。
【００１０】
打楽器が、４枚の木製の側板を接合して形成された四角筒状の側面部と、上記側面部の上端にシナ材の合板からなる天板を接合して形成された鼓面部と、上記側板の内面を凹設し、薄肉形成された副鼓面部と、を備え、上記側面部は、放音用の開口部を有していれば、特に、太鼓の音色を効果的に出すことができ、安価かつ軽量であり、収納性にも優れている。
本発明の打楽器セットは、大きさの異なる複数個の打楽器を、大きさの順に、打楽器の内部に順次収納可能とすることができるため、収納性に特に優れている。
【考案を実施するための最良の形態】
【００１１】
以下、本考案の実施形態を示す図１〜８を参照しながら本考案を詳しく説明する。
［１］打楽器
本考案の打楽器は、木製の側板で筒状に形成された側面部と、上記側面部の上端に木製の天板を接合して形成された鼓面部と、を備え、上記側面部は、胴部と、該胴部を支持する脚部と、からなり、上記側面部の下方には、放音用の開口部が形成されていることを特徴とする。
【００１２】
上記「側面部」は、筒状に形成した木製の側板からなる。筒状に形成してあれば特に限定はなく、円筒状、角筒状とすることができるが、角筒状とすることが好ましい。角形筒状であれば、平板状の側板を接合して形成できるため、製作も容易であり、製作コストも低く抑えることができる。また収納もし易くなる。
例えば、図１に示す打楽器１０のように、側面部８０が４枚の側板７０を接合して四角筒状とすれば、製作し易く、収納にも便利である。
側板の接合方法は特に限定はなく、接着剤で接合する方法、螺子等の固着具で接合する方法、その両者を併用する方法のいずれでもよい。また、前記の方法に加えて、例えば図６に示すように、側板７１、７２、７３、７４を接合する場合、側板７１、７２にそれぞれ凹溝７１ａ、７２ａを設け、側板７２、７４にそれぞれ設けた凸条部７２ａ、７４ａと嵌合させることにより、更に強固に固定することもできる。
【００１３】
上記側面部は、胴部と、該胴部の下方に設けた脚部と、からなる。胴部と脚部はそれぞれ別体として製作して接合してもよいが、図１に示すように胴部３０と脚部４０を一体として製作すると製作コストを低く抑えることができる。
また、胴部３０と脚部４０の形成に伴い、胴部３０と脚部４０で囲まれる放音用の開口部５０が形成される。開口部５０により、打音を打楽器の外部に放出することができる。
なお、図２に示すように脚部４０には、例えば、ゴムなどの緩衝部材４１を取り付けて脚部４０が直接床に接触するのを避けて、床面及び、脚部４０の下端部が損傷するのを防ぐことが好ましい。
また、図１及び図４に示すように、胴部３０には取っ手３３を設けることができる。
こうすれば持ち運びに便利である。
【００１４】
側板の種類は特に限定はないが、打音が内部に響くように硬質の木であることが好ましい。例えば、パイン材であれば硬質であることに加え、更に、安価であり、加工性にも優れているため、特に好ましい。
【００１５】
上記「鼓面部」は、側面部の上端に木製の天板を接合して形成されている。例えば図１に示すように、鼓面部２１は、側面部８０の上端に木製の天板２０を接合して形成されている。
天板は木製であれば特に限定はないが、弾性のある材質であれば、バチで叩くことにより太鼓のような音色を奏でることができる。特に、シナ材又はブナ材の合板であれば、太鼓のような音色を出しやすい。
「合板」とは、薄く切った単板の繊維方向を略直角に、互い違いに重ねて熱圧接着した木質ボードである。鼓面部用の天板としては、２〜４枚の単板を重ねたものが好ましく、３枚の単板を重ねたもの（通称「３プライ」）が特に好ましい。厚さも、特に限定はなく、打楽器全体の大きさによっても、打音の響きが異なるため、適宜厚さを定めることができる。通常は、鼓面部の厚さが２〜４ｍｍであることが好ましく、２．５〜３．５ｍｍであることが更に好ましい。
また、例えば図５（ａ）に示すように、合板を形成する上下の２枚の単板２０ａ、２０ｃの間に、布２０ｂを挟み、接着したものを用いることもできる（図５（ｂ）参照）。
こうすることで、更に強度に優れると共に、打音の響きをよくすることができる。ここで、布の種類は特に限定はなく、例えば、木綿を使用することができる。
【００１６】
接合の方法も特に限定はなく、接着剤で接合する方法、螺子等の固着具で接合する方法、その両者を併用する方法のいずれでもよい。
上記天板２０を補強するために、補強材２７を備えることもできる（図２〜図４参照。）。
図１に示すように鋲２５を天板２０の周囲に取り付けることもできる。こうすることで、皮を張った太鼓の雰囲気を醸し出すことができる。
【００１７】
上記「副鼓面部」は、側板の内面を凹設し、薄肉形成されている。
例えば図３に示すように、胴部３０を構成する側板７０の内面３２ａを凹設し副鼓面部３２が形成され、凹設をしない側板部分３１に対して薄肉化されている。薄肉化することで、胴部３０の弾性が大きくなり、バチで叩くことにより、柔らかい打音を響かせることができる。また、天板２０からなる鼓面部２１とは異なった音色を出すことができる。
副鼓面部は、側面部に１箇所設けることもできるが、複数箇所設けてもよい。例えば、図３に示すように、対向する２枚の側板７０によって副鼓面部３２を２箇所設けることができる。演奏に際して、左右の手に１本ずつバチを持って、左右の副鼓面部を叩くようにすれば、上部の鼓面部及び左右の副鼓面部の３箇所の面を叩いて演奏するのが容易となる。
図２及び図３に示すように、副鼓面部が広い場合には、補強板３６を内面３２ａに取り付けて、補強することが好ましい。
本発明の打楽器は、図２〜図４に示すように天板と側面部で囲まれた空間部があり、下方は開放されているため、打楽器の内部を収納スペースとして利用することができる。
【００１８】
［２］打楽器セット
本発明の打楽器セットは上記打楽器であって、大きさの異なる複数個の打楽器を、大きさの順に、打楽器の内部に順次収納可能とした複数個の打楽器からなる。
例えば図７に示すように、打楽器６１の中に大きさの異なる打楽器６２を収納することができる。収納する打楽器の数は特に限定がなく、収納された打楽器の内部に更に小さな打楽器を収納することができる。
【００１９】
図８に示すように大きさの異なる５個の打楽器６１、６２、６３、６４、６５からなる打楽器セット６０を５人で演奏することができる。大きさが順次小さくなっているため、例えば、小中学校等で年長者から年少者まで含むグループであっても、体型に適した打楽器をそれぞれが演奏して合奏を楽しむことができる。
５個の打楽器を、打楽器６１の内部に打楽器６２、６３、６４、６５をすべて収納できるため、保管場所を確保する上でも、演奏会場への運搬に際しても、コンパクトに収納できるため、便利である。
【産業上の利用可能性】
【００２０】
本考案は、太鼓の音色を出すことができ、安価かつ軽量であり、更に収納性に優れた打楽器及び打楽器セットの技術分野において利用することができ、特に、保育園、幼稚園及び小中学校における音楽教育等の分野において有用である。また、皮を張った太鼓に比べて、打音の響きもそれほど大きくないため、練習用としても好適に用いることができる。
【図面の簡単な説明】
【００２１】
【図１】本考案の実施形態に係る打楽器の外観を示す斜視図である。
【図２】本考案の実施形態に係る打楽器の内部を示す斜視図である。
【図３】本考案の実施形態に係る打楽器の断面図であり、図１のＡ−Ａ断面図である。
【図４】本考案の実施形態に係る打楽器の断面図であり、図１のＢ−Ｂ断面図である。
【図５】本考案の実施形態に係る打楽器の天板の他の形態を示す摸式図である。
【図６】本考案の実施形態に係る打楽器の製作方法を示す摸式図である。
【図７】本考案の実施形態に係る打楽器セットの収納状態を示す模式図である。
【図８】本考案の実施形態に係る打楽器セットの使用状態を示す模式図である。
【符号の説明】
【００２２】
７０、７１、７２、７３、７４；側板、８０；側面部、２０；天板、２０ａ、２０ｃ；単板、２０ｂ；布、２１；鼓面部、３０；胴部、４０；脚部、５０；開口部、１０、６１、６２、６３、６４、６５；打楽器、３２ａ；内面、３２；副鼓面部、６０；打楽器セット
【図１】
0003143654.tif 000003
【図２】
0003143654.tif 000004
【図３】
0003143654.tif 000005
【図４】
0003143654.tif 000006
【図５】
0003143654.tif 000007
【図６】
0003143654.tif 000008
【図７】
0003143654.tif 000009
【図８】
0003143654.tif 000010